(57)【特許請求の範囲】
【請求項１】
ベッドに関連付けられる端末と通信可能なプロセッサと、
前記プロセッサによって制御される記憶部と、
を具備し、
前記記憶部は、前記端末に対応する端末識別データと第１の位置データとを関連付けた端末データと、医療情報システムで管理されている電子カルテのうちの少なくとも一部であり第２の位置データを含む患者情報とを記憶し、
前記プロセッサは、前記記憶部に記憶されている前記第１の位置データと関連する前記第２の位置データを含む前記患者情報を選択し、選択した前記患者情報に関する表示データを生成し、前記端末データにおいて前記第１の位置データと関連付けられている前記端末識別データに対応する前記端末に、前記表示データを送信する、
情報処理装置。
【請求項２】
前記第１の位置データをＩＣ（Integrated Circuit）タグを用いて取得する、請求項１の情報処理装置。
【請求項３】
前記プロセッサは、前記ＩＣタグの持つ前記第１の位置データを取得する装置から、前記端末経由で、前記第１の位置データを受信する、請求項２の情報処理装置。
【請求項４】
前記プロセッサは、前記端末ではない端末から、前記第２の位置データを補充するための補充位置データを受信し、前記患者情報に含まれている前記第２の位置データに前記補充位置データを組み込む、請求項１ないし請求項３のうちのいずれか１項の情報処理装置。
【請求項５】
ベッドに関連付けられる端末と通信可能な情報処理装置によって、前記端末に対応する端末識別データと第１の位置データとを関連付けた端末データと、医療情報システムで管理されている電子カルテのうちの少なくとも一部であり第２の位置データを含む患者情報とを、記憶部に記憶させることと、
前記情報処理装置によって、前記記憶部に記憶されている前記第１の位置データと関連する前記第２の位置データを含む前記患者情報を選択し、選択した前記患者情報に関する表示データを生成することと、
前記情報処理装置によって、前記端末データにおいて前記第１の位置データと関連付けられている前記端末識別データに対応する前記端末に、前記表示データを送信することと、
を具備する情報処理方法。
【請求項６】
コンピュータに、
ベッドに関連付けられる端末に対応する端末識別データと第１の位置データとを関連付けた端末データを、記憶部に記憶させる機能と、
医療情報システムで管理されている電子カルテのうちの少なくとも一部であり第２の位置データを含む患者情報を、前記記憶部に記憶させる機能と、
前記記憶部に記憶されている前記第１の位置データと関連する前記第２の位置データを含む前記患者情報を選択し、選択した前記患者情報に関する表示データを生成する機能と、
前記端末データにおいて前記第１の位置データと関連付けられている前記端末識別データに対応する前記端末に、前記表示データを送信する機能と、
を実現させるためのプログラム。
【発明の詳細な説明】
【技術分野】
【０００１】
本発明は、例えば医療情報システムなどで管理されている患者情報を、ベッドに関連付けられている端末に表示させるための情報処理装置、情報処理方法、およびプログラムに関する。
【背景技術】
【０００２】
医療機関で用いられる医療情報システムは、電子カルテを管理する。この電子カルテに含まれている患者情報を、ベッドサイドに備えられているベッドサイド端末に表示するサービスが提供されている。
【０００３】
医療機関のスタッフ（例えば医者または看護師など）は、ベッドサイド端末に患者識別データを入力する。ベッドサイド端末は、患者識別データを管理サーバへ送信する。管理サーバは、医療情報システムから電子カルテのうちの少なくとも一部のデータを受信し、少なくとも一部のデータから患者識別データに関連する患者情報を選択し、患者情報を患者識別データに対応するベッドサイド端末へ送信する。これにより、ベッドサイド端末に患者情報が表示される。
【先行技術文献】
【特許文献】
【０００４】
【特許文献１】特許第６６８２０３４号公報
【発明の概要】
【発明が解決しようとする課題】
【０００５】
ベッドサイド端末に患者識別データを入力する上記の情報システムにおいては、医療機関のスタッフおよび患者が患者識別データを記憶していない場合に、迅速にベッドサイド端末へ患者識別データを入力することが困難な場合がある。
【０００６】
ベッドサイド端末に患者識別データを入力する上記の情報システムにおいては、ベッドを利用する患者が変わるたびに、ヘッドサイド端末へ患者識別データを入力する必要がある。この場合、ベッドサイド端末に対する入力回数が多くなり、入力ミスが発生する可能性も高くなる。
【０００７】
患者識別データを例えばバーコードなどを用いてベッドサイド端末へ入力する場合、バーコードリーダなどの機器を準備する必要があり、患者識別データの入力に手間および時間がかかり、バーコードリーダの導入コストも必要になる。
【０００８】
そして、医療機関においては、ベッドサイド端末などのような電子機器を病室などで操作する作業を、なるべく減らしたいというニーズがある。
【０００９】
さらに、患者識別データは個人情報であり、近年、個人情報の管理の厳格化が要求されている。
【００１０】
本発明は、上記実情に鑑みてなされたものであり、ベッドに関連付けられる端末に患者識別データを入力することなく電子カルテに含まれている患者情報をベッドに関連付けられる端末に表示可能とする情報処理装置、情報処理方法、およびプログラムに関する。
【課題を解決するための手段】
【００１１】
本発明の情報処理装置は、ベッドに関連付けられる端末と通信可能なプロセッサと、プロセッサによって制御される記憶部とを備える。記憶部は、端末に対応する端末識別データと第１の位置データとを関連付けた端末データと、医療情報システムで管理されている電子カルテのうちの少なくとも一部であり第２の位置データを含む患者情報とを記憶する。プロセッサは、記憶部に記憶されている第１の位置データと関連する第２の位置データを含む患者情報を選択し、選択した患者情報に関する表示データを生成し、端末データにおいて第１の位置データと関連付けられている端末識別データに対応する端末に、表示データを送信する。
【発明の効果】
【００１２】
本発明によれば、ベッドに関連付けられる端末に患者識別データを入力することなく電子カルテに含まれている患者情報をベッドに関連付けられる端末に表示させることができる。
【図面の簡単な説明】
【００１３】
【図１】本実施形態に係る情報処理システムの例を示すブロック図。
【図２】電子カルテと患者データと端末データと補充位置データと指定情報との関係の例を示す図。
【図３】本実施形態に係る情報処理システムの処理の例を示すフローチャート。
【図４】本実施形態に係る情報処理システムの概略を例示する図。
【発明を実施するための形態】
【００１４】
以下、図面を参照して実施形態を説明する。図面において、同一の機能及び構成要素については、同一符号を付して説明を省略するか、または、簡単に説明を行う。
【００１５】
本実施形態では、電子カルテと端末データとがベッドサイド端末の位置データにより関連付けられる情報処理システムを説明する。
【００１６】
図１は、本実施形態に係る情報処理システム１の例を示すブロック図である。
【００１７】
情報処理システム１は、医療サーバＳａと、管理サーバＳｂと、ベッドサイド端末Ｔａと、管理端末Ｔｂとを備える。医療サーバＳａと、管理サーバＳｂと、ベッドサイド端末Ｔａと、管理端末Ｔｂとは、例えば専用回線、インターネット、または、ＬＡＮ（Local Area Network）などのようなネットワークＮ経由で他の装置と通信可能である。以下においては、説明を簡略化するため、ネットワークＮを省略して説明する場合がある。
【００１８】
具体的には、情報処理システム１において、管理サーバＳｂは、医療サーバＳａ、ベッドサイド端末Ｔａ、および、管理端末Ｔｂと通信可能である。
【００１９】
医療サーバＳａと、管理サーバＳｂと、ベッドサイド端末Ｔａと、管理端末Ｔｂとは、例えばコンピュータまたは情報処理装置である。ベッドサイド端末Ｔａは、例えば、タブレット型コンピュータとしてもよい。
【００２０】
医療サーバＳａは、例えば、通信部Ｃ１、記憶部Ｍ１、プロセッサＰ１を備える。
【００２１】
記憶部Ｍ１は、例えば、ソフトウェア２と電子カルテ３とを記憶する。
【００２２】
プロセッサＰ１は、例えば、記憶部Ｍ１に記憶されているソフトウェア２を実行することにより、編集部４およびデータ検索部５としての機能を実現する。ソフトウェア２は、例えば、ＯＳ（オペレーティングシステム）、医療情報システムとしての機能を実現するためのアプリケーション・ソフトウェア、通信制御ソフトウェアなどを含むとしてもよい。
【００２３】
管理サーバＳｂは、例えば、通信部Ｃ２、記憶部Ｍ２、プロセッサＰ２を備える。
【００２４】
記憶部Ｍ２は、例えば、ソフトウェア６、端末データ７、患者識別データ１２、補充位置データ２９、指定情報２９ａ、患者データ８、ピクトグラムデータ１０、表示データ１１を記憶する。
【００２５】
プロセッサＰ２は、例えば、記憶部Ｍ２に記憶されているソフトウェア６を実行することにより、編集部１３、取得部１４、位置補充部１５、選択部１６ａ、生成部１６ｂ、送信部１７としての機能を実現する。ソフトウェア６は、例えば、ＯＳ、医療サーバＳａと連携して表示データを生成するためのアプリケーション・ソフトウェア、通信制御ソフトウェアなどを含むとしてもよい。
【００２６】
ベッドサイド端末Ｔａは、例えば、通信部Ｃ３、操作受付部Ｒ１、表示部Ｄ１、記憶部Ｍ３、プロセッサＰ３などを備える。
【００２７】
記憶部Ｍ３は、例えば、ソフトウェア１８、ベッドサイド端末Ｔａの第１の位置データ１９ａ、表示データ１１を記憶する。
【００２８】
プロセッサＰ３は、例えば、記憶部Ｍ３に記憶されているソフトウェア１８を実行することにより、受付部２１、送信部２２、受信部２３、表示制御部２４としての機能を実現する。ソフトウェア１８は、例えば、ＯＳ、ブラウザなどを含むとしてもよい。
【００２９】
管理端末Ｔｂは、例えば、通信部Ｃ４、操作受付部Ｒ２、表示部Ｄ２、記憶部Ｍ４、プロセッサＰ４などを備える。
【００３０】
記憶部Ｍ４は、例えば、ソフトウェア２５、患者識別データ１２、補充位置データ２９、指定情報２９ａを記憶する。
【００３１】
プロセッサＰ４は、例えば、記憶部Ｍ４に記憶されているソフトウェア２５を実行することにより、受付部２７、送信部２８としての機能を実現する。ソフトウェア２５は、例えば、ＯＳ、ブラウザなどを含むとしてもよい。
【００３２】
以下で、医療サーバＳａ、管理サーバＳｂ、ベッドサイド端末Ｔａ、管理端末Ｔｂを順に説明する。
【００３３】
まず、医療サーバＳａを説明する。
【００３４】
医療サーバＳａは、例えば、電子カルテ３を管理する医療情報システムである。
【００３５】
通信部Ｃ１は、他の装置からネットワークＮ経由で、例えばデータ、情報、信号、リクエスト、コマンド、通知、指示、応答などを受信する。また、通信部Ｃ１は、ネットワークＮ経由で他の装置へ、例えばデータ、情報、信号、リクエスト、コマンド、通知、指示、応答などを送信する。なお、管理サーバＳｂの通信部Ｃ２、ベッドサイド端末Ｔａの通信部Ｃ３、管理端末Ｔｂの通信部Ｃ４も通信部Ｃ１と同様であるため、通信部Ｃ２〜Ｃ４の説明は省略する。
【００３６】
記憶部Ｍ１は、例えば揮発性メモリと不揮発性メモリとを含む。記憶部Ｍ１は、例えば、ハードディスクドライブ（ＨＤＤ）、または、ソリッドステートドライブ（ＳＳＤ）などのようなストレージデバイスでもよい。記憶部Ｍ１は、主記憶装置を含むとしてもよく、キャッシュメモリを含むとしてもよく、バッファメモリを含むとしてもよい。なお、管理サーバＳｂの記憶部Ｍ２、ベッドサイド端末Ｔａの記憶部Ｍ３、管理端末Ｔｂの記憶部Ｍ４も、記憶部Ｍ１と同様とすることができる。ただし、記憶部Ｍ１〜Ｍ４は、記憶しているソフトフェアおよびデータが異なる。
【００３７】
ソフトウェア２は、プロセッサＰ１によって実行されることにより、医療情報システムとしての各種機能を実現する。医療情報システムとしての機能としては、例えば、電子カルテ３のためのデータの受信機能、電子カルテ３の編集機能および管理機能、電子カルテ３に含まれているデータの送信機能などがある。
【００３８】
電子カルテ３は、例えば、患者の個人情報、診察内容、診断結果、処方箋、経過情報などを患者ごとに電子的に記録しているデータである。本実施形態において、電子カルテ３は、例えば、患者を識別するための患者識別データ、患者に関する位置を示す第２の位置データ、担当の医師を識別するための医師識別データ、患者に関する例えば診察内容、診断結果、処方箋、経過情報などのような診療データ、患者が入院かまたは通院かを示す入院／通院データ（フラグ情報）を関連付けた患者情報８ａを含む。ここで、第２の位置データは、例えば、病棟／病室／ベッドを識別するためのデータでもよい。
【００３９】
プロセッサＰ１は、例えば、ＣＰＵ（Central Processing Unit）、ＭＰＵ（Micro Processing Unit）、ＧＰＵ（Graphics Processing Unit）などである。プロセッサＰ１は、通信部Ｃ１を使用してネットワークＮ経由で他の装置と通信可能である。なお、管理サーバＳｂのプロセッサＰ２、ベッドサイド端末ＴａのプロセッサＰ３、管理端末ＴｂのプロセッサＰ４のそれぞれも、プロセッサＰ１と同様に、例えば、ＣＰＵ、ＭＰＵ、または、ＧＰＵなどでもよく、それぞれ通信部Ｃ２〜Ｃ４を使用してネットワークＮ経由で他の装置と通信可能でもよい。
【００４０】
プロセッサＰ１は、記憶部Ｍ１から各種データおよび各種ソフトウェアをリード可能であり、記憶部Ｍ１へ各種データおよび各種ソフトウェアをライト可能である。なお、管理サーバＳｂのプロセッサＰ２、ベッドサイド端末ＴａのプロセッサＰ３、管理端末ＴｂのプロセッサＰ４のそれぞれも、プロセッサＰ１と同様に、例えば、記憶部Ｍ２〜Ｍ４のそれぞれから各種データおよび各種ソフトウェアをリード可能であり、記憶部Ｍ２〜Ｍ４のそれぞれへ各種データおよび各種ソフトウェアをライト可能である。
【００４１】
編集部４は、他の装置からネットワークＮおよび通信部Ｃ１経由で、または、図示しない医療サーバＳａの操作受付部または操作端末から、コマンドを受信し、コマンドにしたがって、記憶部Ｍ１に記憶されている電子カルテ３に対するデータ（例えば患者情報８ａ）の登録、編集、管理、更新、または、削除などを行う。
【００４２】
データ検索部５は、例えば、管理サーバＳｂなどのような他の装置からネットワークＮおよび通信部Ｃ１経由で受信したコマンドにしたがって、データ検索を実行し、検索されたデータを、通信部Ｃ１およびネットワークＮ経由で他の装置へ送信する。
【００４３】
本実施形態において、データ検索部５は、例えば、管理サーバＳｂからネットワークＮおよび通信部Ｃ１経由で、入院している患者に関する患者情報８ａの検索コマンドを受信する。そして、データ検索部５は、電子カルテ３から、入院／通院データに基づいて入院している患者に関する患者情報８ａを含む患者データ８を抽出し、抽出した患者データ８を通信部Ｃ１およびネットワークＮ経由で管理サーバＳｂへ送信する。
【００４４】
また、本実施形態において、データ検索部５は、例えば、管理サーバＳｂからネットワークＮおよび通信部Ｃ１経由で、患者識別データ１２と検索コマンドを受信する。そして、データ検索部５は、電子カルテ３から、患者識別データ１２に関する患者情報８ａを含む患者データ８を抽出し、抽出した患者データ８を通信部Ｃ１およびネットワークＮ経由で管理サーバＳｂへ送信する。
【００４５】
次に、管理サーバＳｂを説明する。
【００４６】
管理サーバＳｂは、医療サーバＳａ、ベッドサイド端末Ｔａ、管理端末Ｔｂと連携して動作する。
【００４７】
管理サーバＳｂは、例えば、医療サーバＳａから電子カルテ３の少なくとも一部を含む患者データ８を受信し、この受信した患者データ８を用いてベッドサイド端末Ｔａに各種のデータを表示させるサービスを提供する情報処理装置である。管理サーバＳｂは、ベッドサイド端末Ｔａなどのベッドサイド機器を管理する管理会社によって運営されてもよい。
【００４８】
より具体的に説明すると、管理サーバＳｂは、ベッドサイド端末Ｔａの第１の位置データ１９ａと端末識別データとを関連付けた端末データ７を管理している。
【００４９】
管理サーバＳｂは、ベッドサイド端末ＴａからネットワークＮ経由で、ベッドサイド端末Ｔａを示す端末識別データとベッドサイド端末Ｔａの第１の位置データ１９ａとを受信し、端末識別データとベッドサイド端末Ｔａの第１の位置データ１９ａとを関連付けて端末データ７へ登録する。
【００５０】
管理サーバＳｂは、例えば、管理サーバＳｂが医療サーバＳａと第１の通信方式（例えば、File Transfer Protocolを用いた通信）によりデータ通信を行う場合に、周期的に、入院している患者に関する患者情報８ａの検索コマンドを、ネットワークＮ経由で医療サーバＳａへ送信する。そして、管理サーバＳｂは、応答として、入院している患者に関する患者情報８ａを含む患者データ８を、医療サーバＳａからネットワークＮ経由で受信する。
【００５１】
管理サーバＳｂは、例えば、管理サーバＳｂが医療サーバＳａと第２の通信方式（例えば、ソケット通信）によりデータ通信を行う場合に、管理端末ＴｂからネットワークＮ経由で患者識別データ１２を受信し、患者識別データ１２と検索コマンドとを、ネットワークＮ経由で医療サーバＳａへ送信する。そして、管理サーバＳｂは、応答として、患者識別データ１２に関する患者情報８ａを含む患者データ８を、医療サーバＳａからネットワークＮ経由で受信する。
【００５２】
なお、管理サーバＳｂは、例えば、一度、患者識別データ１２を用いて患者データ８を取得すると、その後は、患者データ８に含まれている患者識別データ１２に基づいて、周期的に、医療サーバＳａから患者データ８を取得してもよい。
【００５３】
管理サーバＳｂは、患者データ８の中から、ベッドサイド端末Ｔａの第１の位置データ１９ａと関連する第２の位置データを含む患者情報８ａを選択する。
【００５４】
そして、管理サーバＳｂは、選択した患者情報８ａに基づいて表示データ１１を生成し、端末識別データで示されるベッドサイド端末Ｔａへ表示データ１１を送信する。
【００５５】
ソフトウェア６は、プロセッサＰ２によって実行されることにより、医療サーバＳａと連携し、表示データ１１を生成し、表示データ１１をベッドサイド端末Ｔａへ送信するための各種機能を実現する。
【００５６】
端末データ７は、ベッドサイド端末Ｔａの情報を記録しているデータである。本実施形態において、端末データ７は、ベッドサイド端末Ｔａを示す端末識別データと、ベッドサイド端末Ｔａの第１の位置データ１９ａとを関連付けている。
【００５７】
本実施形態において、端末識別データは、例えば、ベッドサイド端末Ｔａに対する通信で使用されるアドレスを含むとしてもよい。
【００５８】
患者識別データ１２は、患者を識別するためのデータである。本実施形態において、患者識別データ１２は、ベッドサイド端末Ｔａではない例えば管理端末Ｔｂなどのコンピュータから管理サーバＳｂへ送信されるものとする。
【００５９】
患者データ８は、電子カルテ３の少なくとも一部を含み、管理サーバＳｂがネットワークＮ経由で医療サーバＳａから受信したデータである。患者データ８は、例えば、入院している患者の患者情報８ａを含むとしてもよく、例えば、医療サーバＳａへ送信された患者識別データ１２の示す患者に関する患者情報８ａを含むとしてもよい。患者情報８ａは、例えば、患者識別データ１２、第２の位置データ、診療データ、入院／通院データなどを含むとしてもよい。
【００６０】
補充位置データ２９は、端末データ７の第１の位置データ１９ａと患者データ８の第２の位置データとのマッチングにおいて第２の位置データに不足する情報がある場合に、当該第２の位置データに対する補充に用いられるデータである。
【００６１】
指定情報２９ａは、患者データ８において補充位置データ２９の補充先（組み込み先）となる第２の位置データを指定する。
【００６２】
ピクトグラムデータ１０は、ベッドサイド端末Ｔａに送信される表示データ１１を生成するために利用されるピクトグラムを含む。
【００６３】
表示データ１１は、例えば、端末データ７に含まれているベッドサイド端末Ｔａの第１の位置データ１９ａと整合する第２の位置データを含む患者情報８ａと、ピクトグラムデータ１０とに基づいて生成され、ネットワークＮ経由でベッドサイド端末Ｔａへ送信される画面表示のためのデータである。
【００６４】
編集部１３は、例えば他の装置からネットワークＮおよび通信部Ｃ２経由でコマンドを受信し、コマンドにしたがって記憶部Ｍ２の端末データ７に対するデータの登録、編集、管理、更新、または、削除などを行う。
【００６５】
編集部１３は、例えば、ベッドサイド端末Ｔａまたは管理端末ＴｂからネットワークＮおよび通信部Ｃ２経由でベッドサイド端末Ｔａの端末識別データと第１の位置データ１９ａとを受信し、受信したベッドサイド端末Ｔａの端末識別データと第１の位置データ１９ａとを関連付けて端末データ７に登録する。
【００６６】
取得部１４は、管理サーバＳｂのプロセッサＰ２および通信部Ｃ２が医療サーバＳａと第１の通信方式によりデータ通信を行う場合に、周期的に、入院している患者に関する患者情報８ａの検索コマンドを、通信部Ｃ２およびネットワークＮ経由で医療サーバＳａへ送信する。取得部１４は、入院している患者に関する患者情報８ａの検索コマンドの応答として、電子カルテ３に含まれており入院している患者に関する患者情報８ａを含む患者データ８を、医療サーバＳａからネットワークＮおよび通信部Ｃ２経由で受信する。そして、取得部１４は、患者データ８を記憶部Ｍ２へライトする。
【００６７】
取得部１４は、管理サーバＳｂのプロセッサＰ２および通信部Ｃ２が医療サーバＳａと第２の通信方式によりデータ通信を行う場合に、例えば、ベッドサイド端末Ｔａではない管理端末ＴｂからネットワークＮおよび通信部Ｃ２経由で患者識別データ１２を受信する。さらに、取得部１４は、患者識別データ１２と検索コマンドとを、通信部Ｃ２およびネットワークＮ経由で医療サーバＳａへ送信する。管理サーバＳｂは、患者識別データ１２と検索コマンドの応答として、患者識別データ１２の示す患者に関する患者情報８ａを含む患者データ８を、医療サーバＳａからネットワークＮおよび通信部Ｃ２経由で受信する。そして、取得部１４は、患者データ８を記憶部Ｍ２へライトする。その後、取得部１４は、患者データ８に含まれている患者識別データ１２と検索コマンドとを、周期的に、通信部Ｃ２およびネットワークＮ経由で医療サーバＳａへ送信し、同様の処理を繰り返してもよい。
【００６８】
本実施形態において、患者データ８に含まれている第２の位置データが端末データ７に含まれているベッドサイド端末Ｔａの第１の位置データ１９ａの一部である場合がある。
【００６９】
例えば、患者データ８に含まれている第２の位置データは、病棟および病室の識別データを含むが、ベッドの識別データまでは含まない場合がある。
【００７０】
このように、第１の位置データ１９ａと第２の位置データとのマッチングにおいて第２の位置データに情報の不足がある場合、位置補充部１５は、例えば、患者データ８の少なくとも一部と端末データ７の少なくとも一部とを、通信部Ｃ２およびネットワークＮ経由で管理端末Ｔｂへ送信する。管理端末Ｔｂは、管理サーバＳｂから患者データ８の少なくとも一部と端末データ７の少なくとも一部とを受信し、表示する。管理端末Ｔｂは、管理者Ｍによる操作にしたがって、第１の位置データ１９ａを用いたマッチングで不足する情報（例えば、ベッドの識別データ）を補充するための補充位置データ２９と、補充先となる第２の位置データを指定する指定情報２９ａとを受け付ける。管理端末Ｔｂは、補充位置データ２９と指定情報２９ａとを、ネットワークＮ経由で管理サーバＳｂへ送信する。位置補充部１５は、補充位置データ２９および指定情報２９ａを、管理端末ＴｂからネットワークＮおよび通信部Ｃ２経由で受信する。
【００７１】
すると、位置補充部１５は、患者データ８における指定情報２９ａによって指定される第２の位置データに、補充位置データ２９を組み込む。
【００７２】
これにより、第１の位置データ１９ａと第２の位置データとのマッチングが可能になる。
【００７３】
選択部１６ａは、記憶部Ｍ２に記憶されている端末データ７と患者データ８とに基づいて、患者データ８の中から、端末データ７に含まれているベッドサイド端末Ｔａの第１の位置データ１９ａと整合する第２の位置データを含む患者情報８ａを選択する。
【００７４】
生成部１６ｂは、選択部１６ａによって選択された患者情報８ａと、記憶部Ｍ２に記憶されているピクトグラムデータ１０とに基づいて、患者情報８ａに関する表示データ１１を生成し、記憶部Ｍ２にライトする。
【００７５】
送信部１７は、記憶部Ｍ２から表示データ１１をリードする。そして、送信部１７は、記憶部Ｍ２に記憶されている端末データ７において第１の位置データ１９ａと関連付けられている端末識別データによって示されるベッドサイト端末Ｔａに、通信部Ｃ２およびネットワークＮ経由で表示データ１１を送信する。
【００７６】
次に、ベッドサイド端末Ｔａを説明する。
【００７７】
ベッドサイド端末Ｔａは、ベッドと関連付けられ、ベッド近傍に配置されるコンピュータである。ベッドサイド端末Ｔａは、例えば、医師または看護師などの医療機関のスタッフ、患者、患者の家族などによって使用される。
【００７８】
操作受付部Ｒ１は、例えば、マウス、タッチパネル、タッチパッドなどのポインティングデバイス、または、キーボードなどである。なお、管理端末Ｔｂの操作受付部Ｒ２も操作受付部Ｒ１と同様であるため、操作受付部Ｒ２の説明は省略する。
【００７９】
表示部Ｄ１は、例えば、有機ＥＬ（Electro Luminescence）ディスプレイ、または、液晶ディスプレイなどである。表示部Ｄ１は、例えば、プロセッサＰ３による制御にしたがって各種のデータまたは情報を表示する。なお、管理端末Ｔｂの表示部Ｄ２も表示部Ｄ１と同様であるため、表示部Ｄ２の説明は省略する。
【００８０】
受付部２１は、ベッドサイド端末ＴａのユーザＵから操作受付部Ｒ１経由で、ベッドサイド端末Ｔａの第１の位置データ１９ａを受け付ける。そして、受付部２１は、ベッドサイド端末Ｔａの第１の位置データ１９ａを記憶部Ｍ３にライトする。
【００８１】
送信部２２は、記憶部Ｍ３からベッドサイドの第１の位置データ１９ａをリードし、端末識別データとベッドサイドの第１の位置データ１９ａとを、通信部Ｃ３およびネットワークＮ経由で管理サーバＳｂへ送信する。
【００８２】
ここで、端末識別データはソフトウェア１８に含まれている（設定されている）としてもよい。また、受付部２１は、端末識別データを、ユーザＵから操作受付部Ｒ１経由で取得してもよい。
【００８３】
受信部２３は、管理サーバＳｂからネットワークＮおよび通信部Ｃ３経由で表示データ１１を受信し、表示データ１１を記憶部Ｍ３へライトする。
【００８４】
表示制御部２４は、記憶部Ｍ３から表示データ１１をリードし、表示データ１１を表示部Ｄ１へ表示させるための制御を実行する。
【００８５】
次に、管理端末Ｔｂを説明する。
【００８６】
管理端末Ｔｂは、管理者Ｍが操作する。管理端末Ｔｂは、ベッドサイド端末Ｔａとは異なる装置である。管理端末Ｔｂは、例えば、医療サーバＳａで管理されている電子カルテ３を操作するためのコンピュータでもよい。
【００８７】
受付部２７は、管理サーバＳｂのプロセッサＰ２および通信部Ｃ２が医療サーバＳａと第２の通信方式によりデータ通信を行う場合に、管理者Ｍから操作受付部Ｒ２経由で、患者識別データ１２を受け付ける。そして、受付部２７は、患者識別データ１２を記憶部Ｍ３にライトする。
【００８８】
受付部２７は、端末データ７の第１の位置データ１９ａと患者データ８の第２の位置データとのマッチングにおいて第２の位置データに情報の不足がある場合に、例えば、管理サーバＳｂから、患者データ８の少なくとも一部と端末データ７の少なくとも一部とを、ネットワークＮおよび通信部Ｃ４経由で受信する。受付部２７は、管理サーバＳｂから受信した患者データ８の少なくとも一部と端末データ７の少なくとも一部とを表示部Ｄ２へ表示する。受付部２７は、管理者Ｍが操作する操作受付部Ｒ２経由で、補充位置データ２９と指定情報２９ａとを受け付ける。そして、受付部２７は、補充位置データ２９と指定情報２９ａとを記憶部Ｍ３にライトする。
【００８９】
送信部２８は、管理サーバＳｂのプロセッサＰ２および通信部Ｃ２が医療サーバＳａと第２の通信方式によりデータ通信を行う場合に、患者識別データ１２を記憶部Ｍ４からリードし、患者識別データ１２を通信部Ｃ３およびネットワークＮ経由で管理サーバＳｂへ送信する。
【００９０】
送信部２８は、端末データ７の第１の位置データ１９ａと患者データ８の第２の位置データとのマッチングにおいて第２の位置データに情報の不足がある場合に、補充位置データ２９と指定情報２９ａとを記憶部Ｍ４からリードし、補充位置データ２９と指定情報２９ａとを、通信部Ｃ３およびネットワークＮ経由で管理サーバＳｂへ送信する。
【００９１】
図２は、電子カルテ３と患者データ８と端末データ７と補充位置データ２９と指定情報２９ａとの関係の例を示す図である。
【００９２】
電子カルテ３は、例えば、患者ごとに、患者識別データ１２、第２の位置データ１９ｂ、医師識別データ３０、診療データ３１、入院／通院データ３３を関連付けた患者情報８ａを含む。
【００９３】
患者データ８は、例えば、電子カルテ３から、患者が入院していることを示す入院／通院データ３３を含む患者情報８ａを抽出したデータとしてもよい。
【００９４】
あるいは、患者データ８は、例えば、電子カルテ３から、指定された患者識別データ１２を含む患者情報８ａを抽出したデータとしてもよい。
【００９５】
補充位置データ２９は、患者データ８において指定情報２９ａによって指定されている第２の位置データ１９ｂに組み込まれる。
【００９６】
端末データ７では、端末識別データ３２とベッドサイド端末Ｔａの第１の位置データ１９ａとが関連付けられている。
【００９７】
本実施形態において、患者データ８に含まれている第２の位置データ１９ｂと端末データ７に含まれている第１の位置データ１９ａとはマッチング可能である。したがって、管理サーバＳｂは、患者データ８の患者情報８ａに基づいて生成された表示データ１１を送信する宛先となる端末識別データ３２を取得可能である。
【００９８】
図３は、本実施形態に係る情報処理システム１の処理の一例を示すフローチャートである。
【００９９】
ステップＳ３０１ａにおいて、医療サーバＳａは、電子カルテ３に、患者識別データ１２、第２の位置データ１９ｂ、医師識別データ３０、診療データ３１、入院／通院データ３３などを含む患者情報８ａを登録する。
【０１００】
ステップＳ３０１ｂにおいて、管理サーバＳｂは、電子カルテ３のうちの少なくとも一部の患者情報８ａを含む患者データ８を取得する。
【０１０１】
このステップＳ３０１ｂにおいて、管理サーバＳｂは、ベッドサイド端末Ｔａではない装置から患者識別データ１２を受信し、医療サーバＳａから患者識別データ１２に関連する患者情報８ａを含む患者データ８を取得してもよい。
【０１０２】
また、ステップＳ３０１ｂにおいて、管理サーバＳｂは、管理端末Ｔｂから受信した補充位置データ２９および指定情報２９ａに基づいて、患者データ８に含まれており指定情報２９ａによって指定される第２の位置データ１９ｂに、補充位置データ２９を補充してもよい。
【０１０３】
ステップＳ３０２において、管理サーバＳｂは、ベッドサイド端末Ｔａから端末識別データ３２とベッドサイド端末Ｔａの第１の位置データ１９ａとを受信し、端末データ７に、端末識別データ３２およびベッドサイド端末Ｔａの第１の位置データ１９ａを登録する。
【０１０４】
なお、ステップＳ３０２は、ステップＳ３０１ａの先に実行されてもよく、後に実行されてもよい。また、ステップＳ３０２は、ステップＳ３０１ｂの先に実行されてもよく、後に実行されてもよい。
【０１０５】
ステップＳ３０３において、管理サーバＳｂは、患者データ８の第２の位置データ１９ｂが端末データ７の第１の位置データ１９ａと整合する場合に、患者データ８から第２の位置データ１９ｂを含む患者情報８ａを選択する。
【０１０６】
ステップＳ３０４において、管理サーバＳｂは、選択した患者情報８ａとピクトグラムデータ１０とに基づいて、ベッドサイド端末Ｔａに表示させるための表示データ１１を生成する。
【０１０７】
ステップＳ３０５において、管理サーバＳｂは、端末識別データ３２に基づいて、表示データ１１を、ベッドサイト端末Ｔａに送信する。
【０１０８】
ステップＳ３０６において、ベッドサイド端末Ｔａは、管理サーバＳｂから表示データ１１を受信する。
【０１０９】
ステップＳ３０７において、ベッドサイド端末Ｔａは、管理サーバＳｂから受信した表示データ１１を表示する。
【０１１０】
図４は、本実施形態に係る情報処理システム１の概略を例示する図である。
【０１１１】
ベッドサイド端末Ｔａは、ユーザＵからベッドサイド端末Ｔａの第１の位置データ１９ａを受け付け、端末識別データ３２とベッドサイド端末Ｔａの第１の位置データ１９ａとを、管理サーバＳｂへ送信する。
【０１１２】
管理サーバＳｂは、ベッドサイド端末Ｔａから端末識別データ３２とベッドサイド端末Ｔａの第１の位置データ１９ａとを受信し、端末識別データ３２とベッドサイド端末Ｔａの第１の位置データ１９ａとを端末データ７へ登録する。
【０１１３】
管理サーバＳｂは、例えば、入院している患者に関する患者情報８ａの検索コマンドを医療サーバＳａへ送信し、応答として、電子カルテ３から抽出された入院している患者に関する患者情報８ａを含む患者データ８を医療サーバＳａから受信し、患者データ８を記憶する。
【０１１４】
ベッドサイド端末Ｔａではない管理端末Ｔｂは、管理者Ｍから患者識別データ１２を受け付ける場合がある。この場合、管理端末Ｔｂは、患者識別データ１２を管理サーバＳｂへ送信する。管理サーバＳｂは、管理端末Ｔｂから患者識別データ１２を受信すると、患者識別データ１２と検索コマンドとを医療サーバＳａへ送信する。そして、管理サーバＳｂは、応答として、電子カルテ３から抽出された患者識別データ１２に対応する患者情報８ａを含む患者データ８を医療サーバＳａから受信し、患者データ８を記憶する。
【０１１５】
管理端末Ｔｂは、管理者Ｍから補充位置データ２９と指定情報２９ａとを受け付ける場合がある。この場合、管理端末Ｔｂは、補充位置データ２９と指定情報２９ａとを管理サーバＳｂへ送信する。管理サーバＳｂは、指定情報２９ａに基づいて、患者データ８内の患者情報８ａの第２の位置データ１９ｂに補充位置データ２９を組み込む。
【０１１６】
管理サーバＳｂは、患者データ８において、端末データ７の第１の位置データ１９ａと整合する第２の位置データ１９ｂを含む患者情報８ａを選択し、選択された患者情報８ａとピクトグラムデータ１０とに基づいて、表示データ１１を生成する。
【０１１７】
管理サーバＳｂは、端末データ７において第１の位置データ１９ａと関連付けられている端末識別データ３２によって示されるベッドサイド端末Ｔａに、表示データ１１を送信する。
【０１１８】
ベッドサイド端末Ｔａは、管理サーバＳｂから表示データ１１を受信し、表示データ１１を表示する。
【０１１９】
以上説明した本実施形態においては、ベッドサイド端末Ｔａに対して、患者識別データ１２ではなくベッドサイド端末Ｔａの第１の位置データ１９ａが入力される。ベッドサイド端末Ｔａの第１の位置データ１９ａは、患者識別データ１２よりも医療機関のスタッフが確認容易である。
【０１２０】
したがって、医療機関のスタッフおよび患者が患者識別データ１２を記憶していない場合であっても、迅速にベッドサイド端末Ｔａのセッティングを行うことができる。
【０１２１】
ベッドの位置変更回数は、ベッドを利用する患者の変更回数よりも少ない。本実施形態においては、ベッドを利用する患者が変わっても、ベッドサイド端末Ｔａの位置が変更されない限り、ベッドサイド端末Ｔａに対して新たな設定入力を行わなくてもよい。このため、本実施形態においては、ベッドサイド端末Ｔａに対する設定入力の回数を少なくすることができ、設定入力ミスの発生を抑制することができる。また、本実施形態においては、ベッドサイド端末Ｔａなどのような電子機器を病室などで操作する作業を減らすことができる。
【０１２２】
本実施形態においては、バーコードリーダなどの機器を用いなくてもよく、入力作業の労力および時間が増すことを防止することができ、バーコードリーダの導入コストも必要ない。
【０１２３】
本実施形態においては、ベッドサイド端末Ｔａに個人情報である患者識別データ１２を入力する必要がないため、個人情報の管理を厳格化することができる。
【０１２４】
本実施形態においては、医療サーバＳａと管理サーバＳｂとの間のデータ通信の方式に応じて、電子カルテ３からの患者データ８の取得処理を切り替えることができる。したがって、患者データ８を適切に収集することができる。
【０１２５】
患者データ８に含まれている第２の位置データ１９ｂが端末データ７に含まれているベッドサイド端末Ｔａの第１の位置データ１９ａの一部である場合がある。例えば、患者データ８に含まれている第２の位置データ１９ｂは、病棟および病室の識別データを含むが、ベッドの識別データまでは含まない場合がある。このような場合であっても、本実施形態においては、患者データ８に含まれている第２の位置データ１９ｂに対して補充位置データ２９および指定情報２９ａによって補充が行われる。
【０１２６】
これにより、本実施形態においては、患者データ８に含まれている第２の位置データ１９ｂに不足する情報がある場合であっても、表示データ１１をベッドサイド端末Ｔａに表示させることができる。
【０１２７】
本実施形態において、ベッドサイド端末Ｔａは、ユーザＵからベッドサイド端末Ｔａの第１の位置データ１９ａを受け付けるとしている。しかしながら、ベッドサイド端末Ｔａは、例えば、無線通信により第１の位置データ１９ａを受信する装置、第１の位置データ１９ａを示すバーコードまたは２次元コードの読み取り装置、ＩＣ（Integrated Circuit）タグから第１の位置データ１９ａを受信する装置などを用いて、ベッドサイド端末Ｔａの第１の位置データ１９ａを取得してもよい。
【０１２８】
なお、本願発明は、上記各実施形態そのままに限定されるものではなく、実施段階ではその要旨を逸脱しない範囲で構成要素を変形して具現化できる。また、上記各実施形態に開示されている複数の構成要素の適宜な組み合わせにより種々の発明を形成できる。例えば、各実施形態に示される全構成要素から幾つかの構成要素を削減してもよい。更に、異なる実施形態に亘る構成要素を適宜組合せてもよい。
【符号の説明】
【０１２９】
１…情報処理システム、Ｓａ…医療サーバ、Ｓｂ…管理サーバ、Ｔａ…ベッドサイド端末、Ｔｂ…管理端末、Ｃ１〜Ｃ４…通信部、Ｍ１〜Ｍ４…記憶部、Ｐ１〜Ｐ４…プロセッサ、２，６，１８，２５…ソフトウェア、３…電子カルテ、４，１３…編集部、５…データ検索部、７…端末データ、８…患者データ、８ａ…患者情報、１０…ピクトグラムデータ、１１…表示データ、１２…患者識別データ、１４…取得部、１５…位置補充部、１６ａ…選択部、１６ｂ…生成部、１７…送信部、１９ａ…第１の位置データ、１９ｂ…第２の位置データ、２９…補充位置データ、２９ａ…指定情報、３１…診療データ、３２…端末識別データ、３３…入院／通院データ
【要約】
【課題】  ベッドに関連付けられる端末に患者識別データを入力することなく電子カルテに含まれている患者情報をベッドに関連付けられる端末に表示可能とする。
【解決手段】  情報処理装置は、ベッドに関連付けられる端末と通信可能なプロセッサと、プロセッサによって制御される記憶部とを備える。記憶部は、端末に対応する端末識別データと第１の位置データとを関連付けた端末データと、医療情報システムで管理されている電子カルテのうちの少なくとも一部であり第２の位置データを含む患者情報とを記憶する。プロセッサは、第１の位置データと関連する第２の位置データを含む患者情報に基づいて表示データを生成し、端末データにおいて第１の位置データと関連付けられている端末識別データに対応する端末に、表示データを送信する。
【選択図】  図１【図１】
0006925682.tif 000002
【図２】
0006925682.tif 000003
【図３】
0006925682.tif 000004
【図４】
0006925682.tif 000005